(57)【要約】【課題】電柱への安定した掛止を可能とすることにより、昇降時における安全性を向上させた電柱用梯子を提供する。【解決手段】本発明は、電柱Ｄの水平方向における一方側に突設される第１足場ボルトＤ１と、水平方向における他方側に突設され、第１足場ボルトＤ１と異なる高さに設けられる第２足場ボルトＤ２と、を有する電柱Ｄに掛止可能な電柱用梯子１であって、一対の支柱の間に複数の踏桟が横架された梯子本体２と、基端部が一対の支柱の一方の支柱の上端部に回動自在に連結されると共に、先端部が第１足場ボルトＤ１に係止可能な第１フック部６と、第１フック部６の長さと異なる長さに形成され、基端部が一対の支柱の他方の支柱の上端部に回動自在に連結されると共に、先端部が第２足場ボルトＤ２に係止可能な第２フック部７と、を備えることを特徴とする。【選択図】図１
2010180635.tif 000002
【特許請求の範囲】
【請求項１】
電柱の水平方向における一方側に突設される第１足場ボルトと、前記水平方向における他方側に突設され、前記第１足場ボルトと異なる高さに設けられる第２足場ボルトと、を有する電柱に掛止可能な電柱用梯子であって、
一対の支柱の間に複数の踏桟が横架された梯子本体と、
基端部が前記一対の支柱の一方の支柱の上端部に回動自在に連結されると共に、先端部が前記第１足場ボルトに係止可能な第１フック部と、
前記第１フック部の長さと異なる長さに形成され、基端部が前記一対の支柱の他方の支柱の上端部に回動自在に連結されると共に、先端部が前記第２足場ボルトに係止可能な第２フック部と、
を備えることを特徴とする電柱用梯子。
【請求項２】
一方側の端部に前記電柱に当接可能に湾曲した湾曲部を有し、他方側の端部が前記梯子本体の下端部の近傍に回動自在に連結される電柱支持部を更に備えることを特徴とする請求項１に記載の電柱用梯子。
【請求項３】
前記電柱支持部は、前記湾曲部に連結され、前記電柱を巻装可能な巻装部を更に備えることを特徴とする請求項２に記載の電柱用梯子。
【発明の詳細な説明】
【技術分野】
【０００１】
本発明は、電柱に掛止可能な電柱用梯子に関し、特に、電柱に突設される足場ボルトに係止可能なフック部を有する電柱用梯子に関する。
【背景技術】
【０００２】
従来より、電線等が架設されている電柱には、作業者が電柱に登って電線の点検や修理等を行うことが出来るように、電柱の外周面に足場ボルトが突設されている。足場ボルトは、低位置に設けられると通行人等に接触するおそれがあるため危険であると共に、作業者以外の者が勝手に電柱に登ることを防止するために、通常、地面から２ｍ位の高さから設けられていることが多い。そのため、例えば、作業者は、電柱に梯子を立て掛け、梯子を登って足場ボルトが突設されている高さまで移動することとなるが、足場ボルトが突設されている高さまで梯子で移動するには、２ｍ以上の梯子が必要となる。
【０００３】
一方、電柱は、略円柱状に形成されている。そのため、電柱に梯子を立て掛け、作業者が電柱に登ると、梯子は非常に不安定になる。特に、大型の梯子を用いて高所に登るのは非常に危険である。そのため、従来、電柱に立て掛けて梯子を使用する場合には、梯子が倒れないように作業補助者に下部を支えてもらい、作業補助者に梯子を支えてもらった状態で昇降を行っていた。つまり、梯子を使用するためだけに、作業補助者を連れてこなければならない場合が生じていた。
【０００４】
これに対しては、かかる梯子の上端部に足場ボルト等に係止させることが可能なフック部が取り付けられた梯子が開示されている（例えば、特許文献１参照）。
特許文献１に開示の梯子は、上端部に足場ボルト等に係止可能なフック部を取り付けることにより、梯子を支える作業補助者がいなくても、梯子の昇降を行うことを可能としている。
【先行技術文献】
【特許文献】
【０００５】
【特許文献１】特開２００１−１８２４６７号公報
【発明の概要】
【発明が解決しようとする課題】
【０００６】
しかしながら、特許文献１に記載のフック部をはじめ、従来の梯子に取り付け可能なフック部は、それぞれが同じ長さに形成されている。これに対して、電柱に突設される足場ボルトは、作業者が電柱を昇降しやすいように左右の足場ボルトそれぞれが所定のピッチで上下方向に互い違いになるように設けられている。そのため、フック部を足場ボルトに係止させて梯子を電柱に立て掛けようとしても、梯子の一方側のフック部しか足場ボルトに掛止させることができなかった。これにより、例えば、梯子を登る作業者の荷重が梯子に対して偏荷重になった場合等に、梯子がねじれるように反転したり、倒れてしまうおそれがあった。
【０００７】
本発明は、電柱への安定した掛止を可能とすることにより、昇降時における安全性を向上させた電柱用梯子を提供することを目的とする。
【課題を解決するための手段】
【０００８】
本発明に係る電柱用梯子は、電柱の水平方向における一方側に突設される第１足場ボルトと、前記水平方向における他方側に突設され、前記第１足場ボルトと異なる高さに設けられる第２足場ボルトと、を有する電柱に掛止可能な電柱用梯子であって、一対の支柱の間に複数の踏桟が横架された梯子本体と、基端部が前記一対の支柱の一方の支柱の上端部に回動自在に連結されると共に、先端部が前記第１足場ボルトに係止可能な第１フック部と、前記第１フック部の長さと異なる長さに形成され、基端部が前記一対の支柱の他方の支柱の上端部に回動自在に連結されると共に、先端部が前記第２足場ボルトに係止可能な第２フック部と、を備えることを特徴とする。
【０００９】
また、一方側の端部に前記電柱に当接可能に湾曲した湾曲部を有し、他方側の端部が前記梯子本体の下端部の近傍に回動自在に連結される電柱支持部を更に備えることが好ましい。
【００１０】
また、前記電柱支持部は、前記湾曲部に連結され、前記電柱を巻装可能な巻装部を更に備えることが好ましい。
【発明の効果】
【００１１】
本発明によれば、電柱への安定した掛止を可能とすることにより、昇降時における安全性を向上させた電柱用梯子を提供することができる。
【図面の簡単な説明】
【００１２】
【図１】本実施形態に係る電柱用梯子を伸張させた状態を示す外観斜視図である。
【図２】本実施形態に係る電柱用梯子の外観を示す外観斜視図である。
【図３】本実施形態に係る電柱用梯子の側面を示す側面図である。
【図４】（ａ）は、本実施形態に係る電柱用梯子の第１フック部の側面を示す外観側面図であり、（ｂ）は、本実施形態に係る電柱用梯子の第２フック部の側面を示す外観側面図である。
【図５】（ａ）は、本実施形態に係る電柱支持部の外観を示す外観斜視図であり、（ｂ）は、電柱巻装部を開放した状態の電柱支持部の外観を示す外観斜視図である。
【図６】本実施形態に係る電柱用梯子の使用状態を示す外観斜視図である。
【発明を実施するための形態】
【００１３】
以下、本発明を実施するための形態について図面を参照しながら説明する。
図１は、本実施形態に係る電柱用梯子１を伸張させた状態を示す外観斜視図である。図２は、本実施形態に係る電柱用梯子１を示す外観斜視図である。図３は、本発明の実施形態に係る電柱用梯子の側面を示す側面図である。
【００１４】
図１に示すように、電柱用梯子１は、電柱Ｄに立て掛けて使用される。
図１から図３に示すように、電柱用梯子１は、梯子本体２と、第１フック部６と、第２フック部７と、電柱支持部８と、を備えて構成されている。
梯子本体２は、梯子本体２のベース用梯子となる下段梯子３と、梯子本体２の伸縮用梯子となる上段梯子４と、を備えて構成されている。また、梯子本体２は、下段梯子３に上段梯子４を伸縮自在に連結し、不図示の操作綱を操作することにより多段に伸長自在となるように構成されている。
【００１５】
下段梯子３は、互いに対向するように配設された一対の支柱３０，３０と、一対の支柱３０，３０それぞれの下端部に設けられる一対の接地部３４，３４と、支柱３０と支柱３０との間において、上下方向に所定の間隔で横架される第１踏桟３１ａ、第２踏桟３１ｂ、第３踏桟３１ｃ、第４踏桟３１ｄ及び第５踏桟３１ｅと、を備えて構成されている。
【００１６】
一対の支柱３０，３０それぞれは、断面視略Ｌ字状に形成されており、梯子本体２の両側に配置される第１の面３２，３２と、梯子本体２の正面側に第１の面３２，３２と直交して配置される第２の面３３，３３と、を備えて構成されている。
【００１７】
一対の接地部３４，３４それぞれは、一対の支柱３０，３０の端部に回動自在に連結されている。また、一対の接地部３４，３４それぞれは、滑り止め部３８，３８を有して構成されている。滑り止め部３８，３８は、接地部３４，３４の底部に設けられており、滑り止め部３８，３８には、梯子本体２を地面に設置した際に、電柱Ｄ（後述の図６参照）に対して梯子本体２が滑ることを防止する溝部（図示せず）が形成されている。
【００１８】
第１踏桟３１ａ、第２踏桟３１ｂ、第３踏桟３１ｃ、第４踏桟３１ｄ及び第５踏桟３１ｅは、支柱３０，３０の間において、それぞれが上下方向に所定の間隔で横架されている。第１踏桟３１ａ、第２踏桟３１ｂ、第３踏桟３１ｃ、第４踏桟３１ｄ及び第５踏桟３１ｅは、直方体状に形成されており、一の面が上方を向くように配設されている。また、一の面には、作業者の靴底の滑りを防止する滑止部（図示せず）が形成されている。
【００１９】
上段梯子４は、互いに対向するように配設された一対の支柱４０，４０と、一対の支柱４０，４０の間において、上下方向に所定の間隔で横架される第６踏桟４１ａ、第７踏桟４１ｂ、第８踏桟４１ｃ及び第９踏桟４１ｄと、当接部４２と、上段梯子４を下段梯子３に係止させるストッパ部４４と、を備えて構成されている。上段梯子４は、下段梯子３の上方に引き出し可能に下段梯子３に連結されている。
【００２０】
一対の支柱４０，４０それぞれは、断面視略コ字状に形成されており、コ字の凹部同士が対向するように、一対の支柱３０，３０それぞれの内面側に配置されている。また、一対の支柱４０，４０の上端部には、合成樹脂により形成されたキャップ部４３，４３が取り付けられている。キャップ部４３，４３は、一対の支柱４０，４０の上端部を保護すると共に、立て掛けられる電柱Ｄの外周面を傷つけることを防止する（後述の図６参照）。
【００２１】
また、一対の支柱４０，４０それぞれの下端部の近傍には、後述の係止部８９，８９を係止可能な係止孔４８，４８が設けられている。
【００２２】
第６踏桟４１ａ、第７踏桟４１ｂ、第８踏桟４１ｃ及び第９踏桟４１ｄは、直方体状に形成されており、一の面が上方を向くように配設されている。また、一の面には、作業者の靴底の滑りを防止する滑止部（図示せず）が形成されている。
【００２３】
当接部４２は、第９踏桟４１ｄの上方において、一対の支柱４０，４０の間に横架されている。当接部４２は、弾性材料により帯状に形成されており、電柱Ｄの外周面と当接可能に形成されている。当接部４２は、電柱Ｄの外周面と接触すると、弾性変形により延伸し、外周面との接触面積が大きくなるように形成されている（後述の図６参照）。
【００２４】
ストッパ部４４は、支柱４０の下端部の近傍に設けられている。ストッパ部４４は、係止爪部４５を有して構成されている。係止爪部４５は、下段梯子３に設けられる第２踏桟３１ｂ、第３踏桟３１ｃ、第４踏桟３１ｄ及び第５踏桟３１ｅの上部に係止可能な係止部４６と、第３踏桟３１ｃ、第４踏桟３１ｄ及び第５踏桟３１ｅの下部と摺動可能な摺動部４７と、を有して構成されている。
【００２５】
更に、ストッパ部４４は、不図示の付勢部により梯子本体２の正面側に付勢されると共に、前後方向に所定量傾動可能に形成されている。具体的には、ストッパ部４４は、上段梯子４が引き出され、第３踏桟３１ｃ、第４踏桟３１ｄ又は第５踏桟３１ｅの下部と摺動部４７とが接触したときは、付勢部による付勢力に反して、摺動部４７の形状に沿って梯子本体２の背面側に所定量傾動するように形成されている。これにより、ストッパ部４４は、上段梯子４が引き出された場合に、第３踏桟３１ｃ、第４踏桟３１ｄ及び第５踏桟３１ｅを超えて移動することが可能となると共に、付勢部の付勢力により超えた後の第３踏桟３１ｃ、第４踏桟３１ｄ又は第５踏桟３１ｅと係合することが可能になる。
【００２６】
次に、第１フック部６及び第２フック部７について説明する。
図４（ａ）は、本実施形態に係る電柱用梯子１の第１フック部６の側面を示す外観側面図である。図４（ｂ）は、第２フック部７の側面を示す外観側面図である。
【００２７】
図４（ａ）に示すように、第１フック部６は、第１アーム部６１と、第１鈎部６０と、を備えて構成されている。
【００２８】
第１アーム部６１は、所定の長さを有するように縦長状に形成されており、基端部６５が支柱４０の上端部近傍に回動自在に連結されている。
第１鈎部６０は、第１アーム部６１の先端に設けられており、第１足場ボルトＤ１と係合可能に形成されている。
【００２９】
図４（ｂ）に示すように、第２フック部７は、第２アーム部７１と、第２鈎部７０と、を備えて構成されている。
【００３０】
第２アーム部７１は、第１アーム部６１よりも短くなるように形成されており、基端部７５が支柱４０の上端部近傍に回動自在に連結されている。具体的には、第２アーム部７１は、電柱Ｄの外周面に突設される第１足場ボルトＤ１と第１足場ボルトＤ１よりも低い位置に突設される第２足場ボルトＤ２の間隔（第１足場ボルトＤ１と第２足場ボルトＤ２との高さの差）と同じ長さだけ第１アーム部６１よりも短くなるように形成されている。例えば、第１足場ボルトＤ１が第２足場ボルトＤ２よりも４５ｃｍ高い位置に設置されている場合には、第２フック部７は、第１フック部６よりも４５ｃｍ短くなるように形成される。
【００３１】
第２鈎部７０は、第２アーム部７１の先端に設けられており、第２足場ボルトＤ２と係合可能に形成されている。
【００３２】
次に、電柱支持部８について説明する。電柱支持部８は、下段梯子３の第１の面３２，３２の下端部近傍に連結されている。
図５（ａ）は、本実施形態に係る電柱支持部８の外観を示す外観斜視図である。図５（ｂ）は、電柱巻装部８４を開放した状態の電柱支持部８の外観を示す外観斜視図である。
【００３３】
図５（ａ）及び図５（ｂ）に示すように、電柱支持部８は、一対の連結部８０ａ，８０ｂと、支持棒８８と、湾曲部８３と、電柱巻装部８４と、を備えて構成されている。
一対の連結部８０ａ，８０ｂは、一対の第１連結部８１ａ，８１ｂと、一対の第２連結部８２ａ，８２ｂと、を有して構成されている。
【００３４】
一対の第１連結部８１ａ，８１ｂは、長尺の板状に形成されている。一対の第１連結部８１ａ，８１ｂの長手方向における一端部は、第１の面３２，３２の下端部近傍に連結されており、第１の面３２，３２の延びる方向と長手方向とが直交するように第１の面３２，３２に固定されている。一方、一対の第１連結部８１ａ，８１ｂの長手方向における他端部は、一対の第２連結部８２ａ，８２ｂと連結される。
【００３５】
一対の第２連結部８２ａ，８２ｂは、長尺の板状に形成されている。一対の第２連結部８２ａ，８２ｂの長手方向における一端部は、一対の第１連結部８１ａ，８１ｂの他端部に回動自在に連結されている。一方、一対の第２連結部８２ａ，８２ｂの他端部は、湾曲部８３の両端部それぞれに連結されている。
また、第２連結部８２ａの他端部の近傍には、外側に突出する突起部８７が形成されている。突起部８７は、後述の調整部８５に形成された嵌挿孔８５ａ，８５ｂ，８５ｃ，８５ｄに嵌挿可能に形成されている。
【００３６】
支持棒８８は、第２連結部８２ａ及び第２連結部８２ｂと直交する方向に配置され、第２連結部８２ａと第２連結部８２ｂとを連結する。
【００３７】
湾曲部８３は、帯状に形成されると共に、一端部が第２連結部８２ａと連結され、他端部が第２連結部８２ｂと連結されている。また、湾曲部８３は、支持する電柱Ｄ（図６参照）の外周面と当接可能に湾曲した状態に形成されている。
【００３８】
電柱巻装部８４は、帯状に形成されている。電柱巻装部８４は、一端部が湾曲部８３の端部に、ヒンジ部８６により回動自在に連結されている。一方、電柱巻装部８４の他端部には、調整部８５が設けられている。調整部８５は、外径の異なる電柱Ｄに電柱巻装部８４を巻装可能にするために設けられている。調整部８５には、複数の嵌挿孔８５ａ，８５ｂ，８５ｃ，８５ｄが形成されている。複数の嵌挿孔８５ａ，８５ｂ，８５ｃ，８５ｄそれぞれは、電柱Ｄの外径に合わせて上述の突起部８７を嵌挿可能に形成されている。
【００３９】
次に、本実施形態に係る電柱用梯子１の使用方法について説明する。
図６は、本実施形態に係る電柱用梯子１の使用状態を示す外観斜視図である。
【００４０】
作業者は、まず、上段梯子４の係止孔４８，４８に係止された係止部８９ａ，８９ｂの係止を解除し、梯子本体２を伸縮可能な状態にする。
次いで、作業者は、不図示の操作綱を操作して、上段梯子４を下段梯子３から引き出し、梯子本体２を伸長させる。作業者により梯子本体２が所定の長さに伸長されると、作業者は、操作綱の操作をやめて、操作綱を固定する。このとき、上段梯子４に設けられるストッパ部４４は、上段梯子４が止められた位置における踏桟の上部と係止する。例えば、梯子本体２が最長になるように伸長された場合には、ストッパ部４４は、第５踏桟３１ｅの上部と係止する。梯子本体２は、ストッパ部４４が踏桟（例えば、第５踏桟３１ｅ等）に係止されることにより、梯子本体２の長さが固定されると共に、上段梯子４が下段梯子３の方に不用意に落下することを防止する。
【００４１】
作業者により梯子本体２が適当な長さに調節されると、作業者は、電柱用梯子１を電柱Ｄに立て掛ける準備を行う。まず、作業者は、第１フック部６を第１足場ボルトＤ１に係止させる。次いで、作業者は、第２フック部７を第２足場ボルトＤ２に係止させる。
ここで、第１足場ボルトＤ１と第２足場ボルトＤ２とは、それぞれが異なる高さに設置されているが、第１フック部６が第２フック部７よりも、第１足場ボルトＤ１と第２足場ボルトＤ２との高さの差の分だけ長くなるように形成されている。そのため、第１フック部６の基端部６５と第２フック部７の基端部７５は、同じ高さになる。つまり、電柱用梯子１は、踏桟等の水平状態が保たれた状態になる。
【００４２】
次いで、梯子本体２の位置が確定すると、作業者は、電柱支持部８の湾曲部８３を電柱Ｄの外周面に当接させる。湾曲部８３を電柱Ｄの外周面に当接すると、次いで、作業者は、湾曲部８３にヒンジ部８６により連結された電柱巻装部８４を電柱Ｄに巻装させる。電柱巻装部８４を電柱Ｄに巻装させると、作業者は、連結部８０ａに形成される突起部８７を適当な位置の嵌挿孔８５ａ，８５ｂ，８５ｃ，８５ｄに嵌挿させて、電柱巻装部８４を電柱Ｄに固定する。
これにより、電柱用梯子１は、上部側では、第１フック部６及び第２フック部７により支持され、下部側では、電柱支持部８に支持された状態になる。これにより、作業者の安定した昇降が可能になる。
【００４３】
以上のような構成を有する本実施形態に係る電柱用梯子１によれば、以下のような効果が奏される。
本実施形態に係る電柱用梯子１は、第１フック部６と、第１フック部６と長さの異なる第２フック部７と、を有する。具体的には、第１フック部６は、第２フック部７よりも第１足場ボルトＤ１及び第２足場ボルトＤ２それぞれが設けられる高さ方向における間隔の分長くなるように形成されている。そのため、電柱用梯子１は、例えば、第１フック部６及び第２フック部７それぞれの基端部６５，７５が同じ高さになるように、第１足場ボルトＤ１及び第２足場ボルトＤ２に係止させることが可能となる。つまり、第１フック部６及び第２フック部７を第１足場ボルトＤ１及び第２足場ボルトＤ２に係止させても、電柱用梯子１を水平にすることが可能になる。これにより、例えば、梯子を登る作業者の荷重が偏荷重になった場合等に、梯子がねじれるように反転したり、倒れてしまうことを防止することが可能になる。つまり、作業者は、安全に電柱用梯子１を昇降することが可能になる。
【００４４】
また、本実施形態に係る電柱用梯子１は、第１フック部６及び第２フック部７が回動自在に連結されている。そのため、例えば、梯子本体２の下端側を電柱Ｄと離れる方向にずらし、各踏桟が略水平になるように梯子本体２の位置を調整することが容易になる。これにより、例えば、第１フック部６及び第２フック部７を第１足場ボルトＤ１及び第２足場ボルトＤ２に確実に係止させるように調整することが可能になり、作業の安全性を向上させることが可能になる。また、第１フック部６及び第２フック部７の連結部における負荷を軽減させることが可能になる。
【００４５】
また、本実施形態に係る電柱用梯子１は、電柱Ｄの外周面に当接可能に湾曲した湾曲部８３と、湾曲部８３と下段梯子３とを連結させる連結部８０ａ，８０ｂとを、有する電柱支持部８を備える。そのため、例えば、電柱Ｄに当接させた状態の湾曲部８３と下段梯子３とを当接させた状態で連結することが可能になる。これにより、梯子本体２が電柱Ｄに近づくように移動することを防止することが可能になる。つまり、梯子本体２が電柱Ｄに近づくことにより、梯子本体２の上端部が上昇し、第１フック部６及び第２フック部７が第１足場ボルトＤ１及び第２足場ボルトＤ２から不用意に外れることを防止することが可能になる。
【００４６】
また、湾曲部には、電柱Ｄを巻装可能な電柱巻装部８４が連結されている。そのため、下段梯子３と電柱Ｄとを連結させることが可能になる。これにより、電柱用梯子１は、上部で第１フック部６及び第２フック部７により電柱Ｄと係合させると共に、下部で電柱Ｄと連結させることが可能になり、電柱Ｄに安定的に掛止させることが可能になる。
【００４７】
なお、本発明は、上記実施形態に何ら限定されることはなく、本発明の技術的範囲はこれらに限定されるものではない。
例えば、本実施形態においては、下段梯子３と上段梯子４とを有する、いわゆる二連式の電柱用梯子１の支柱に第１フック部６及び第２フック部７を設ける構成としたが、本発明においてはこれに限定されない。例えば、電柱用梯子１は、伸縮しない一の梯子体からなる、いわゆる一本梯子の支柱に第１フック部６及び第２フック部７を設ける構成であってもよい。また、複数の梯子体が伸縮自在に連結された多段式梯子の最上段の梯子体の支柱に第１フック部６及び第２フック部７を設ける構成であってもよい。
【符号の説明】
【００４８】
１    電柱用梯子
２    梯子本体
３    下段梯子
４    上段梯子
５    フック部
６    第１フック部
７    第２フック部
８    電柱支持部
６０    第１鈎部
６１    第１アーム部
７０    第２鈎部
７１    第２アーム部
８４    電柱巻装部（巻装部）
Ｄ    電柱
Ｄ１    第１足場ボルト
Ｄ２    第２足場ボルト
【図１】
2010180635.tif 000003
【図２】
2010180635.tif 000004
【図３】
2010180635.tif 000005
【図４】
2010180635.tif 000006
【図５】
2010180635.tif 000007
【図６】
2010180635.tif 000008